(57)【要約】      （修正有）【課題】部品が簡素化され、組立てが簡単で、安定的な結合が形成できる同軸ケーブルカプラを提供する。【解決手段】同軸ケーブルカプラであり、主として、ジョイントとスリーブとが含有され、当該スリーブは、リテーナーと管軸と弾性リングとから構成され、当該管軸は、ガイド穴があり、その一端に、複数の段差部と係合縁とが設けられ、もう一端に、複数のとげが設けられ、当該弾性リングは、一端に、凹槽とフック部とが設けられ、もう一端において、端部の近くに、欠け口が設けられ、これにより、弾性リングの後端において、係合リングが形成され、当該リテーナーは、一端に、ストッパーを有する金属管体が設けられる。【選択図】図１
0003117057.tif 000002
【実用新案登録請求の範囲】
【請求項１】
ジョイントと、
当該ジョイントに結合され、管軸と、当該管軸に嵌合される弾性リングと、当該管軸と当該弾性リングを収納するリテーナーとから構成され、当該管軸が、中央にガイド穴が設けられ、当該弾性リングにおいて、一端に、凹槽とフック部とが設けられ、もう一端において、端部の近くに、欠け口が設けられ、これにより、欠け口の裏に、係合リングが形成され、当該リテーナーにおいて、一端が、フランジングを有する短い金属チューブであるスリーブと、が含有され、
これにより、同軸ケーブルがスリーブの後端から通すことにより、同軸ケーブルの先端の絶縁層が、管軸の先端と一致の位置に位置付け、工具で、スリーブに対して、圧力を印加すると、弾性リングの欠け口が、力を受けることにより断裂し、係合リングが、弾性リングから分離し、そして、当該係合リングが、欠け口の頂面に沿って、継続的に前へ推され、また、リテーナーによって制限されるため、係合リングと弾性リングとが、下へ押し出され、これにより、同軸ケーブルとカプラ結合との密着性が向上されることを特徴とする、
同軸ケーブルカプラ。
【請求項２】
当該ジョイントは、同軸ケーブルカプラの中のＦ型ジョイントやＢＮＣジョイント、ＲＣＡジョイント或いはＩＥＣジョイントの何れかの一つであることを特徴とする請求項１に記載の同軸ケーブルカプラ。
【考案の詳細な説明】
【技術分野】
【０００１】
本考案は、同軸ケーブルの結合密着性が向上される同軸ケーブルカプラに関し、特に、例えば、同軸ケーブル線や類似する構造を有する信号転送のための線体に適合するものに関する。
【背景技術】
【０００２】
一般のケーブルテレビシステムやＭＡＴＶシステムは、主トランクからディストリビュータへ連結して、そして、ディストリビュータから、それぞれ、副トランクを介して、加入者へ連結することにより、テレビシステムが伝送する信号を受信する。当該主トランクは、同軸ケーブルの末端に同軸カプラが結合され、当該同軸カプラによりディストリビュータに実装される。
【０００３】
従来の同軸カプラであるＦ型同軸ケーブルカプラは、図5のように、ピンチューブＡ１と同軸にピンチューブＡ１内に配置される柱形状部品ＢとＯリングＣと柱形状部品Ｂの回りに配置されるナットＤとが含有されるカプラ本体Ａがある。同軸ケーブルの自由端をカプラ本体Ａの末端Ａ２に挿入することにより、絶縁体８２と中心導体８１が柱形状部品Ｂ内に位置し、また、被覆網８３と外皮８４は、柱形状部品Ｂの外部とピンチューブＡ１との間に配置され、ピンチューブＡ１は、六角形押し工具により圧力が印加されて、強制的に、同軸ケーブル８０の外皮８４と封止的に結合される。
【０００４】
このようなカプラと同軸ケーブルとを結合する時、六角形押し工具により、ピンチューブＡ１の六面と同軸ケーブルとが密着的にクランピングされるため、六角形押し工具を使用する時、何度もピンチューブＡ１と同軸ケーブルとの密着度を確認する必要があり、印加した力が正確的でない場合、結合が密着でない欠点が発生する。本考案者は、上記の欠点を解消するために、素子が簡素化され、組立てた後の密着性が向上される同軸ケーブルカプラを検討した。
【考案の開示】
【考案が解決しようとする課題】
【０００５】
本考案の主な目的は、部品が簡素化され、組立てが簡単で、安定的な結合が形成できる同軸ケーブルカプラを提供する。
【課題を解決するための手段】
【０００６】
本考案は、上記の目的を達成するため、ジョイントと一スリーブとが含有され、当該スリーブが、リテーナーと管軸と弾性リングとから構成され、当該管軸に、ガイド穴があり、当該管軸において、一端に、複数の段差部と係合縁とが設けられ、そのもう一端に、複数のとげが設けられ、当該弾性リングの一端に、凹槽とフック部とが設けられ、そのもう一端において、端部の近くに、欠け口が設けられ、これにより、弾性リングの後端に、係合リングが形成され、当該リテーナーにおいて、一端に、ストッパーを有する金属管体が設けられ、これにより、スリーブとジョイントとが接合される時、当該同軸ケーブルをスリーブの裏から通して、工具でクランピングすることにより、スリーブ内部の弾性リングの欠け口が、力を受けることにより断裂した後、後端の係合リングが、欠け口の斜面に沿って継続的に前へ推され、また、その外縁がリテーナーによって制限されるため、係合リングが下へ押し出され、これにより、同軸ケーブルとスリーブとの結合密着性が向上される同軸ケーブルカプラである。
【０００７】
本考案の特点や具体的な実施例について、図面を参照しながら、詳しく説明する。
【考案を実施するための最良の形態】
【０００８】
図１〜２を参照しながら、本考案は、カプラ１０とスリーブ２０とが含有され、本施実例のジョイント１０を、Ｆ型ジョイントとして説明し、当該Ｆ型ジョイント１０の外縁の一端に、六角体１１が形成され、当該六角体１１の端部に、内へ向かうストッパー１４が設けられ、また、当該係合部品１０の内壁面に、めねじ１２と１リングのフランジ１３が設けられる。
【０００９】
当該スリーブ２０は、弾性リング２１と管軸２７とリテーナー２５が含有され、当該弾性リング２１は、一端の内縁に、折り部が形成され、当該端の外縁に、１リングの凹槽２３とフック部２２が設けられ、もう一端において、端部の近くに、１リングの欠け口２４が設けられ、これにより、欠け口２４の裏側に、係合リング２４３が形成され、また、欠け口２４の先端において、適当なところに、更に、二つの嵌合槽２４１と２４２が設けられ、当該管軸２７は、中央に、ガイド穴が設けられ、その外縁において、一端に、多数の段差部３０と係合縁２８が設けられ、もう一端に、複数のとげ２９が設けられ、当該リテーナー２５は、金属材からなり、一端が、フランジング２６を有する短いチューブであり、もう一端の内縁に、嵌合ブロック２５１が突出する。
【００１０】
当該弾性リング２１は、リテーナー２５の中に実装され、末端の係合リング２４３により、当該リテーナー２５のフランジング２６の上に抵当し、当該リテーナー２５の内壁に位置ある突出する嵌合ブロック２５１は、弾性リング２１の嵌合槽２４２に嵌合し、組立てる時、当該管軸２７は、係合縁２８により、Ｆ型ジョイント１０内壁のフランジ１３に係止され、また、当該スリーブ２０は、弾性リング２１のフック部２２により、Ｆ型ジョイント１０のストッパー１４に係止される。
【００１１】
使用する時、同軸ケーブル８０の自由端をスリーブ２０の底部から通すことにより、同軸ケーブル８０の中心導体８１と絶縁層８２が、管軸２７の内部に位置して、被覆網８３と外皮８４が、管軸２７の外側に位置し、この時、工具でスリーブ２０に対して、軸方向に圧力を印加すると、欠け口２４が、力を受けることにより断裂し、係合リング２４３が、弾性リング２１から分離し、更に、リテーナー２５に対して、圧力を印加すると、断裂した係合リング２４３が、欠け口２４の斜面に沿って、リテーナー２５の内壁の嵌合ブロック２５１が嵌合槽２４２から嵌合槽２４１まで移動するように、継続的に前へ推され、また、係合リング２４３がリテーナー２５によって制限されるため、弾性リング２１の後端が、下へ押し出され、図３のように、係合リング２４３と弾性リング２１の押し出しと変形により、被覆網８３及び外皮８４と管軸２７のとげ２９との密着結合が更に向上される。
【００１２】
また、図４を参照しながら、本考案のスリーブ２０は、各ジョイントに合わせて設計され、また、例えば、ＢＮＣジョイント１５やＲＣＡジョイント１６或いはＩＥＣジョイント１７等の便利且つ良いクランピング方式を提供するため、スリーブ２０内部の弾性リング２１の欠け口２４と係合リング２４３との作用により、同軸ケーブルカプラと同軸ケーブルとの密着結合が実現される。
【００１３】
以上のように、本考案による構造は、次のような実用利点が得られる。    
【００１４】
１、簡素化された構成素子で、組立てや使用上に、ともに便利で、また、スリーブと同軸ケーブルとを結合する時、簡単な工具を使用することだけで、安定的な結合を実現できる効果が得られる。
【００１５】
２、当該スリーブの外側のリテーナーが、剛性材で作製されるため、内部の係合リングが断裂して、押し出され時、同軸ケーブルとカプラとの密着結合が更に向上される。
【００１６】
以上のように、本考案は、予期の目的を達成できる同軸ケーブルカプラを提供するため、その実用価値を否定することができないから、法に従って実用新案登録を出願する。
【００１７】
以上は、ただ、本考案のより良い実施例であり、本考案の実用新案登録請求の範囲は、それによって制限されることがなく、関係技術を良く分かる熟練者により、様々の変化や修正は、全てが、本考案の実用新案登録請求の範囲に含まれる。
【図面の簡単な説明】
【００１８】
【図１】本考案に係わる実施例の立体外観図
【図２】本考案に係わる実施例の組立ての断面図
【図３】本考案に係わる実施例の使用状態の断面図
【図４】本考案に係わるスリーブと各種類のジョイントの概念図
【図５】従来の同軸ケーブルカプラの使用状態の断面図
【符号の説明】
【００１９】
１０、ジョイント
１１、六角体
１２、めねじ
１３、フランジ
１４、ストッパー
１５、ＢＮＣジョイント
１６、ＲＣＡジョイント
１７、ＩＥＣジョイント
２０、スリーブ
２１、弾性リング
２２、フック部
２３、凹槽
２４、欠け口
２４１、嵌合槽
２４２、嵌合槽
２４３、係合リング
２５、リテーナー
２５１、嵌合ブロック
２６、フランジング
２７、管軸
２８、係合縁
２９、とげ
３０、段差部
８０、同軸ケーブル
８１、中心導体
８２、絶縁体
８３、被覆網
８４、外皮
Ａ、カプラ本体
Ａ１、ピンチューブ
Ａ２、末端
Ｂ、柱形状部品
Ｃ、Ｏリング
Ｄ、ナット
【図１】
0003117057.tif 000003
【図２】
0003117057.tif 000004
【図３】
0003117057.tif 000005
【図４】
0003117057.tif 000006
【図５】
0003117057.tif 000007